(57)【要約】【課題】用紙等のシート状物Ｓ２に限らず部品等の立体物Ｓ１を掲示でき、さらに、掲示物Ｓに対する他者との円滑なコミュニケーションが可能な使用者にとって使い勝手のよい掲示装置の提供を行う。【解決手段】部品等の立体物Ｓ１や用紙等のシート状物Ｓ２等の掲示物Ｓを掲示するための装置であって、前記掲示物Ｓを保持する保持部Ｘと、前記保持部Ｘの外面上乃至近傍に設定されるマーカ等の筆記具で書込み及び消去可能な書込み面Ｗとを具備するようにした。【選択図】図１
2004170649.tif 000002
【特許請求の範囲】
【請求項１】
部品等の立体物や用紙等のシート状物等の掲示物を掲示するための装置であって、前記掲示物を保持する保持部と、前記保持部の外面上乃至近傍に設定されるマーカ等の筆記具で書込み及び消去可能な書込み面とを具備することを特徴とする掲示装置。
【請求項２】
前記保持部が、前記掲示物の前方への脱落を防止する前壁を具備し、その前壁の前面に前記書込み面を設定していることを特徴とする請求項１記載の掲示装置。
【請求項３】
前記前壁が、透明又は半透明な材料で形成したものであることを特徴とする請求項２記載の掲示装置。
【請求項４】
前記掲示物の後方への脱落を防止する後壁を具備し、この後壁がその後面に、該後面からさらに後側へ突出する取付部材を備えることを特徴とする請求項１、２又は３記載の掲示装置。
【発明の詳細な説明】
【０００１】
【発明の属する技術分野】
本発明は、物品や文書等を掲示する掲示装置に関するものである。
【０００２】
【従来の技術】
従来、掲示装置は、薄板状のボードとこのボードに抜き差し可能な画鋲とを備え、前記画鋲を掲示する用紙の一部に差し込むとともにその用紙をボードへ押さえ込むことにより、用紙を掲示可能に構成したものが知られている（例えば、非特許文献１参照。）。
【０００３】
【非特許文献１】
「コクヨ  ２００２  総合カタログ」、オフィスファニチャー編、株式会社コクヨ、２００２年、ｐ．５０４
【０００４】
【発明が解決しようとする課題】
ところが、以上のような構成では、掲示物が部品等の立体物であった場合には、その掲示が困難である。もし、画鋲等によりその立体物を掲示できたとしても、その自重によって画鋲がボードから抜け落ちてしまう可能性があるなど、立体物の掲示には不具合がある。また、掲示物が用紙であった場合でも、メッセージ等を追加する際に、その用紙に直接書き込むか、あるいは、その用紙に書き込むことができない場合には、別の用紙にメッセージを記入して掲示しなければならず、その掲示物に対して他者とコミュニケーションを取る際に、使用者にとって不具合な状況が存在することとなる。
【０００５】
そこで本発明は、上述した不具合を解決し、用紙等のシート状物に限らず部品等の立体物をも掲示でき、さらに、掲示物に対する他者との円滑なコミュニケーションが可能な使用者にとって使い勝手のよい掲示装置の提供を主たる目的とするものである。
【０００６】
【課題を解決するための手段】
すなわち、本発明に係る掲示装置は、部品等の立体物や用紙等のシート状物等の掲示物を掲示するための装置であって、前記掲示物を保持する保持部と、前記保持部の外面上乃至近傍に設定されるマーカ等の筆記具で書込み及び消去可能な書込み面とを具備することを特徴とする。
【０００７】
ここで、「部品等の立体物」とは、機器等を構成するための樹脂製、木製あるいは金属製等の部品要素を単独で若しくは組み合わせて形成される部品に限られるものではなく例えば冊子や書籍等、画鋲やマグネット等によって一般的な掲示板（ボード）に掲示することが困難であるものと定義する。また、「用紙等のシート状物」とは、コピー用紙、メモ用紙、レポート用紙、便箋、伝票、領収書、ちらし、びら若しくはポスター等、画鋲やマグネット等によって一般的な掲示板に掲示することが可能であるものと定義する。
【０００８】
このようなものであれば、用紙等のシート状物等の掲示物に限らず、例えば、掲示物が部品等の立体物であっても、これを保持部が好適に保持しつつ掲示することができる。また、保持部の外面上乃至近傍に設定した書込み面に、マーカ等の筆記具でメッセージを記入することができるため、例えば、掲示物に直接メッセージを書き込むことができない場合でも、掲示物に対する他者との円滑なコミュニケーションを行うことが可能となる。
【０００９】
なお、本発明の望ましい態様としては、前記保持部が、前記掲示物の前方への脱落を防止する前壁を具備し、その前壁の前面に前記書込み面を設定したものが挙げられる。
【００１０】
また、保持部に保持される掲示物を外部から視認可能とするためには、前記前壁が、透明又は半透明な材料で形成したものであることが好ましい。
【００１１】
さらに、前記掲示物の後方への脱落を防止する後壁を具備し、この後壁がその後面に、該後面からさらに後側へ突出する取付部材を備えた構成とし、そして、人目につき易い場所に設けた被取付部材と前記取付部材とを掛止すれば、当該掲示装置を好適に使用することができる。
【００１２】
【発明の実施の形態】
以下、本発明の一実施形態について図面を参照して説明する。
【００１３】
本実施形態に係る掲示装置Ｋは、図１に示すように、例えば、複数の縦桟ＰＴと横桟ＰＹとを備える格子状のパネル本体ＰのスリットＰＳを利用して、該パネル本体Ｐの前面あるいは裏面から取り付けて比較的高い位置で好適に使用されるものである。そして、この掲示装置Ｋは、図２、図３に示すように、部品等の立体物や用紙等のシート状物等の掲示物を保持し得る保持部Ｘを有する掲示装置本体Ｋ１と、この掲示装置本体Ｋ１を前記パネル本体Ｐに取り付けるための取付部材Ｋ２とを具備している。
【００１４】
なお、本実施形態の掲示装置Ｋにおいて、保持部Ｘを有する側を前側、取付部材Ｋ２を有する側を後側と定義し、さらに、掲示装置Ｋの前方から該掲示装置Ｋを見たときの方向を正面方向、掲示装置Ｋの上方から該掲示装置Ｋを見下ろしたときの方向を平面方向、掲示装置Ｋの右側方から該掲示装置Ｋを見たときの方向を右側面方向と定義して説明する。
【００１５】
以下、各部を詳述する。
【００１６】
前記掲示装置本体Ｋ１は、正面視略矩形状の薄板からなる後壁１と、前記後壁１の下端縁部から該後壁１の前面と略９０度を成すように前方へ起立させた平面視略矩形状の薄板からなる底板２と、前記底板２の前側縁から上方に向かうにしたがって漸次前方へ傾くように起立させた正面視略矩形状の薄板からなる前壁３と、前記後壁１の下端部側の側縁部と前記前壁３の側縁部との間に配置する側面視略台形状の薄板からなる一対をなす右側壁４Ｒ及び左側壁４Ｌ（以下「側壁４」と総称する。）とを具備するものであって、これら各部が当接する当接部分を接着剤等を用いて接着することにより、前記後壁１の下端部側と前記底板２と前記前壁３と前記側壁４とで囲まれる空間に、掲示物を保持し得る保持部Ｘを形成しているとともに、その保持部Ｘに、部品等の立体物や用紙等のシート状物等の掲示物を出し入れ可能な上方に開口する開口部Ｘ１を形成している。
【００１７】
より具体的には、前記後壁１は、後面を梨地加工することにより半透明を有するようにしたアクリル製の等厚板から形成したものであって、該後壁１の前面における前記保持部Ｘの開口部Ｘ１近傍より上方に位置付けられる部位に、図示しないマーカ等の筆記具で文字や記号等を書込むことが可能でかつ書込んだ文字等を図示しないイレーサ等によって消去可能な書込み面Ｗ１を備えるように構成している。また、該後壁１の後面側各隅部には、前記取付部材Ｋ２を取り付けるためのめねじ要素１Ｍを備えるように構成している。
【００１８】
前記底板２は、透明のアクリル製の等厚板から形成したものであって、前記掲示物を下方から支持する機能を有するように構成している。
【００１９】
前記前壁３は、前記後壁１の略半分の高さ寸法を有するように透明のアクリル製の等厚板から形成したものであって、前記保持部Ｘに保持した掲示物の前方への脱落を防止する機能を有している。また、当該前壁３の前面側全面には、マーカ等の筆記具で文字や記号等を書き込むことが可能でかつ書き込んだ文字等をイレーサ等によって消去可能な書込み面Ｗ３を備えるように構成している。
【００２０】
前記側壁４は、前記後壁１の略半分の高さ寸法を有するように透明のアクリル製の等厚板から形成したものであって、前記保持部Ｘに保持した掲示物の側方への脱落を防止する機能を有するように構成している。
【００２１】
なお、本実施形態において、前記前壁３の右向端面３ｒと右側壁４Ｒの右向面４Ｒｒとを略面一とするとともに、これら右向端面３ｒと右向面４Ｒｒとが、前記後壁１の右向端面１ｒから若干内側に位置付けられるように構成しているが、右向端面３ｒと右向面４Ｒｒと右向端面１ｒとを略同一となるように構成しても構わない。また、前記後壁１の左向端面と前記前壁３の左向面と前記左側壁４Ｌの左向端面との位置関係についても、上述の右向端面３ｒ等の位置関係と同様に設定される。前記前壁３の下向端面３ｄと底板２の下向面２ｄとを略面一とするとともに、これら下向端面３ｄと下向面２ｄとが、前記後壁１の下向端面１ｄから若干内側に位置付けられるように構成しているが、下向端面３ｄと下向面２ｄと下向端面１ｄとが略同一となるように構成しても構わない。
【００２２】
また、前記側壁４の上端縁を、前記前壁３の上端縁から若干下側に位置付けるように構成しているが、これら側壁４の上端縁と前壁３の上端縁とが、同一の高さ関係を有するように構成することもできる。
【００２３】
一方、前記取付部材Ｋ２は、図３、図４に示すように、前記パネル本体Ｐに取り付けられる取付部材本体Ｋ２１と、前記掲示装置本体Ｋ１のめねじ要素１Ｍに取り付け得るおねじ要素Ｋ２Ｍとを具備するものであって、本実施形態では、前記おねじ要素Ｋ２Ｍを前記めねじ要素１Ｍに取り付けることにより、前記取付部材本体Ｋ２１と前記掲示装置本体１とが一体的になるように構成している。
【００２４】
より具体的には、前記取付部材本体Ｋ２１は、先端部に設けた略円板状の先端側掛止要素Ｋ２ａと、基端部に設けた略円板状の基端側掛止要素Ｋ２ｂと、これら先端側掛止要素Ｋ２ａと基端側掛止要素Ｋ２ｂとを連結する略円柱状の主掛止要素Ｋ２ｃとを備え、前記先端側掛止要素Ｋ２ａと前記基端側掛止要素Ｋ２ｂと前記主掛止要素Ｋ２ｃとのうち少なくとも一つ以上の掛止要素と、前記パネル本体Ｐの横桟ＰＹとを、後壁１の各隅部において掛止させることにより、掲示装置Ｋを前記パネル本体Ｐに掛止し得るように構成している。
【００２５】
次に、本実施形態の掲示装置Ｋに掲示物を掲示する際の動作について説明する。
【００２６】
なお、本実施形態では、文章等を記載したシート状物Ｓ２を掲示している掲示装置Ｋに、所持人が不明の忘れ物とされた立体物たるステープラＳ１をさらに掲示するものとして説明する。
【００２７】
まず、図１に示すように、パネル本体Ｐに取り付けられるとともに、保持部Ｘに掲示するための前記シート状物Ｓ２を保持しつつ掲示している掲示装置Ｋに対し、前記ステープラＳ１を掲示するために、前記掲示装置Ｋの開口部Ｘ１からこのステープラＳ１を投入する。すると、投入されたステープラＳ１は、前記掲示装置Ｋの底板２に下方から支持されるとともに、該掲示装置Ｋの前壁３及び後壁１によって、前方及び後方への脱落を防止されながら、該掲示装置Ｋの保持部Ｘに保持されることとなる。このとき、ステープラＳ１が、掲示装置Ｋの側端部に位置付けられたとしても、該掲示装置Ｋの側壁４によって側方への脱落が防止される。
【００２８】
このようにして、図５に示すように、ステープラＳ１は掲示装置Ｋの保持部Ｘに保持されることとなるが、前記前壁３、側壁４及び底板２を透明な材料で形成しているため、このステープラＳ１を該掲示装置Ｋの正面方向、側方向及びこの掲示装置Ｋを下方から見上げる方向より視認できる。無論、開口部Ｘ１からこのステープラＳ１を視認できることは言うまでもない。すなわち、ステープラＳ１のような立体物Ｓ１であってもこれを好適に保持しながら、人目につくように好適に掲示することも可能となる。
【００２９】
さらに、前記前壁３の前面側の全面及び前記後壁１の前面側の前記保持部Ｘの開口部Ｘ１近傍より上方の部位には、マーカ等の筆記具で書込み及び消去可能な書込み面Ｗ３、Ｗ１（以下、「書込み面Ｗ」と総称する。）を設定しているため、この書込み面Ｗに、例えば、「←注」や「←忘れ物」といった記号や文字を図示しない筆記具で記入することもでき、前記ステープラＳ１やシート状物Ｓ２（以下、「掲示物Ｓ」と総称する。）を単に掲示するだけでなくこの掲示物Ｓに対して他者に伝えたいメッセージ等を記入することもできる。すなわち、この掲示装置Ｋを用いれば、掲示物Ｓに対する他者との非同期的なコミュニケーションをも簡単に実現することができる。なお、この掲示装置Ｋを用いて同期するコミュニケーションが可能であることは言うまでもない。
【００３０】
また、掲示物Ｓの全部あるいは主要部が保持部Ｘの内側に位置付けられるため、例えば、風などが吹いた場合でもその掲示物Ｓに直接的に風が当たることが防がれ、このような風によって掲示物Ｓが飛んでしまうといった不具合も好適に防止できる。
【００３１】
次に、掲示装置Ｋに掲示している掲示物Ｓの掲示を取りやめる方法について説明する。
【００３２】
まず、図５に示すように、掲示装置Ｋの保持部Ｘに保持される掲示物Ｓを取りやめるには、前記開口部Ｘ１を介してその掲示物Ｓを掴み、保持部Ｘから抜き出せば、簡単に掲示装置Ｋに掲示している掲示物Ｓを取り外すことができる。すなわち、画鋲を用いて掲示した場合のように、掲示物Ｓや掲示装置本体Ｋ１に孔が開いてしまうといった不具合も生じることなく、簡単に掲示物Ｓを掲示装置Ｋから取り外すことができる。
【００３３】
そして、掲示装置Ｋの書込み面Ｗに書き込んだ記号や文字等は、図示しないイレーサによって消去可能であり、これらを消去すれば外観上も見栄え良く好適に使用できる。
【００３４】
さらに、この掲示装置Ｋをパネル本体Ｐから取り外して異なる場所に取り付ける場合には、該掲示装置Ｋを上方へ持上げて、掲示装置Ｋとパネル本体Ｐとの掛止を解除し、より具体的には、掲示装置Ｋに備えた取付部材Ｋ２の先端側掛止要素Ｋ２ａと前記基端側掛止要素Ｋ２ｂ及び前記主掛止要素Ｋ２ｃと、パネル本体Ｐの横桟ＰＹとの掛止を解除し、パネル本体ＰのスリットＰＳから取付部材Ｋ２を抜き出すように前側に引き出せば、パネル本体Ｐから掲示装置Ｋを取り外すことができる。一方、掲示装置Ｋを、パネル本体Ｐに取り付けるには、前記取付部材Ｋ２をパネル本体ＰのスリットＰＳに差し込むようにして、前記先端側掛止要素Ｋ２ａと前記基端側掛止要素Ｋ２ｂと前記主掛止要素Ｋ２ｃとのうち少なくとも一つ以上の掛止要素と、前記パネル本体Ｐの横桟ＰＹとを、後壁１の各隅部において掛止させれば、掲示装置Ｋをパネル本体Ｐに取り付けることができる。
【００３５】
すなわち、パネル本体Ｐの所望の位置に掲示装置Ｋを取り付けることができるため、ユーザにとって非常に使い勝手のよいものとなる。
【００３６】
以上に詳述したように、本実施形態の掲示装置Ｋは、用紙等のシート状物Ｓ２等の掲示物Ｓに限らず、例えば、掲示物Ｓが部品等の立体物Ｓ１や厚みの大きい用紙のように画鋲等で止められないものであっても、これを保持部Ｘが好適に保持しつつ人目につくように好適に掲示することができる。また、保持部Ｘの外面上乃至近傍に設定した書込み面Ｗに、マーカ等の筆記具でメッセージを記入することができるため、掲示物Ｓに対する他者との円滑なコミュニケーションを行うことが可能となる。
【００３７】
また、掲示物Ｓの全部あるいは主要部が保持部Ｘの内側に位置付けられるため、例えば、風などが吹いた場合でもその掲示物Ｓに直接的に風が当たることが防がれ、このような風によって掲示物Ｓが飛んでしまうといった不具合も好適に防止できる。そして、この保持部Ｘの形状を各種形状の掲示物を保持し得るように構成すれば、すなわち、前壁や側壁等の形状を適宜設定すれば、各種形状の掲示物を掲示することができる。
【００３８】
さらに、画鋲を用いて掲示した場合のように、掲示物Ｓや掲示装置本体Ｋ１に孔が開いてしまうといった不具合も生じることなく、簡単に掲示物Ｓを掲示装置Ｋから取り外すことができる。
【００３９】
そして、掲示装置Ｋの書込み面Ｗに書き込んだ記号や文字等は、図示しないイレーサによって消去可能であり、これらを消去すれば外観上も見栄え良く好適に使用できる。
【００４０】
さらに、パネル本体Ｐの所望の位置に掲示装置Ｋを取り付けることができるため、ユーザにとって非常に使い勝手のよいものとなる。
【００４１】
なお、本実施形態では、掲示装置本体Ｋ１を、アクリル製の等厚板から形成していたが、例えば、板金を折り曲げ加工することによって掲示装置本体Ｋ１を形成したり、あるいは、図６に示すように、射出成形によって一体のものとして形成したりするなど、掲示装置本体Ｋ１を形成する材料や形成方法は本実施形態に限られるものではない。
【００４２】
また、後壁を半透明に構成したが、掲示装置本体を構成する各部を全て半透明にしたり全てを透明にしたりあるいは一部を不透明とする等、掲示装置本体の透明度は使用態様に応じて適宜設定可能である。
【００４３】
さらに、取付部材Ｋ２を、掲示装置本体Ｋ１と同じ材料とすることで、これら取付部材Ｋ２及び掲示装置本体Ｋ１とを一体に形成するといった実施態様も考えられる。
【００４４】
なお、掲示装置Ｋは、パネル本体Ｐに取り付けるに限らず、取付部材Ｋ２を適宜設定しオフィスや家庭等で利用される家具等にも取り付けることができる。
【００４５】
その他、各部の具体的構成についても上記実施形態に限られるものではなく、本発明の趣旨を逸脱しない範囲で種々変形が可能である。
【００４６】
【発明の効果】
以上に詳述したように本発明によれば、用紙等のシート状物等の掲示物に限らず、例えば、掲示物が部品等の立体物や厚みの大きい用紙のように画鋲等で止められないものであっても、これを保持部が好適に保持しつつ人目につくように好適に掲示することができ、また、保持部の外面上乃至近傍に設定した書込み面に、マーカ等の筆記具でメッセージを記入することができるため、掲示物に対する他者との円滑なコミュニケーションを行うことが可能な掲示装置を提供することができる。
【図面の簡単な説明】
【図１】本発明の実施形態における掲示装置の概観を示す斜視図。
【図２】同実施形態における掲示装置の概観を示す斜視図。
【図３】同実施形態における掲示装置の概観を示す斜視図。
【図４】同実施形態における要部（図１Ａ部）の断面を示す概略断面図。
【図５】同実施形態における掲示装置の概観を示す斜視図。
【図６】本発明の他の実施形態における掲示装置の概観を示す斜視図。
【符号の説明】
Ｋ・・・掲示装置
Ｋ２・・・取付部材
Ｓ・・・掲示物
Ｓ１・・・立体物（ステープラ）
Ｓ２・・・シート状物
Ｗ（Ｗ１、Ｗ３）・・・書込み面
Ｘ・・・保持部
１・・・後壁
３・・・前壁
【図１】
2004170649.tif 000003
【図２】
2004170649.tif 000004
【図３】
2004170649.tif 000005
【図４】
2004170649.tif 000006
【図５】
2004170649.tif 000007
【図６】
2004170649.tif 000008